(57)【要約】【課題】延長ピン貫通孔が、容易にほぞピン貫通孔と所定の角度をなさしめる横架材と柱の接続構造、接続部材を提供する。【解決手段】横架材１にほぞピン３が突設され、ほぞピン３にほぞピン貫通孔３１が形成される。柱２にほぞピン３が挿入されるほぞ孔２１が形成され、ほぞピン貫通孔３１に対応する位置に柱貫通孔２２が形成される。ほぞ孔２１にほぞピン３が挿入されて、連通するほぞピン貫通孔３１と柱貫通孔２２とにドリフトピン６が挿入される接続構造である。ほぞピン３の上端面に雌ねじ３２が形成され、延長ピン４の下端面に雄ねじ４２が突設され、延長ピン４に延長ピン貫通孔４１が形成される。ほぞピン３と延長ピン４に、ほぞピン３と延長ピン４の周方向の位置合わせを行う位置合わせ部３３、４３が設けられる。【選択図】図１
2013234547.tif 000002
【特許請求の範囲】
【請求項１】
横架材の上面に断面円形状をしたほぞピンが突設され、前記ほぞピンに直径方向に貫通するほぞピン貫通孔が形成され、柱の下端面に前記ほぞピンが挿入されるほぞ孔が形成され、前記柱に前記ほぞピン貫通孔に対応する位置に前記柱の軸方向と直交する柱貫通孔が形成され、前記ほぞ孔に前記ほぞピンが挿入されて、互いに連通する前記ほぞピン貫通孔と前記柱貫通孔とにドリフトピンが挿入される接続構造であって、前記ほぞピンの上端面に前記ほぞピンと平行に雌ねじが形成され、前記ほぞピンと同径の断面円形状をした延長ピンの下端面に前記延長ピンと平行に雄ねじが突設され、前記延長ピンに直径方向に貫通する延長ピン貫通孔が形成され、前記ほぞピンの上端面と前記延長ピンの下端面に、前記ほぞピンと前記延長ピンの周方向の位置合わせを行う位置合わせ部が設けられるていることを特徴とする横架材と柱の接続構造。
【請求項２】
横架材の上面に断面円形状をしたほぞピンが突設され、前記ほぞピンに直径方向に貫通するほぞピン貫通孔が形成され、柱の下端面に前記ほぞピンが挿入されるほぞ孔が形成され、前記柱に前記ほぞピン貫通孔に対応する位置に前記柱の軸方向と直交する柱貫通孔が形成され、前記ほぞ孔に前記ほぞピンが挿入されて、互いに連通する前記ほぞピン貫通孔と前記柱貫通孔とにドリフトピンが挿入される接続構造に用いられる接続部材であって、前記接続部材は、前記ほぞピンと前記ほぞピンに任意に連結可能な延長ピンとを備え、前記ほぞピンの上端面に前記ほぞピンと平行に雌ねじが形成され、前記延長ピンの下端面に前記延長ピンと平行に前記雌ねじに螺合する雄ねじが突設され、前記延長ピンに直径方向に貫通する延長ピン貫通孔が形成され、前記ほぞピンの上端面と前記延長ピンの下端面に、前記ほぞピンと前記延長ピンの周方向の位置合わせを行う位置合わせ部が設けられることを特徴とする接続部材。
【発明の詳細な説明】
【技術分野】
【０００１】
本発明は、横架材と柱の接続構造、接続部材に関するものである。
【背景技術】
【０００２】
従来より、横架材と柱の接続にあたり、ほぞピンが用いられる接続構造が知られている（例えば特許文献１参照）。このものにあっては、横架材の上面にほぞピンが設けられるとともに、柱の下端面にほぞ孔が形成され、ほぞピンと柱に、ドリフトピンが挿通される貫通孔が形成されている（図４参照）。そして、ほぞ孔にほぞピンが挿入されて、ほぞピンと柱とに形成された貫通孔が連通するように、柱の下端面が横架材の上面に載置され、連通する貫通孔にドリフトピンが挿通されて、横架材と柱とが接続されるものである。
【０００３】
ところで、このような横架材と柱の接続構造にあっては、横架材や柱に応じて、異なる長さのほぞピンが必要となる。そこで、ほぞピンの長さが調節可能となるように、延長ピンが設けられるものがある。
【０００４】
延長ピンは、ねじによりほぞピンに連結されるもので、ほぞピンと同径の断面円形状をし、ほぞピンと同様に直径方向に貫通する延長ピン貫通孔が形成されている。そして、通常、延長ピン貫通孔は、この延長ピンがほぞピンに連結された状態で、ほぞピン貫通孔と平行となるか直交する必要がある。
【先行技術文献】
【特許文献】
【０００５】
【特許文献１】特開２００２−３４８９６９号公報
【発明の概要】
【発明が解決しようとする課題】
【０００６】
しかしながら、延長ピンとほぞピンはねじにより連結されるため、ほぞピンと延長ピンの周方向の位置合わせがなされず、延長ピン貫通孔は、ほぞピン貫通孔と平行となるか直交するようにすることが困難であった。
【０００７】
本発明は上記従来の問題点に鑑みて発明したものであって、その目的とするところは、延長ピン貫通孔が、容易にほぞピン貫通孔と所定の角度をなさしめる横架材と柱の接続構造、接続部材を提供することを課題とするものである。
【課題を解決するための手段】
【０００８】
上記課題を解決するために、本発明は、以下のような構成とする。
【０００９】
横架材の上面に断面円形状をしたほぞピンが突設され、前記ほぞピンに直径方向に貫通するほぞピン貫通孔が形成され、柱の下端面に前記ほぞピンが挿入されるほぞ孔が形成され、前記柱に前記ほぞピン貫通孔に対応する位置に前記柱の軸方向と直交する柱貫通孔が形成され、前記ほぞ孔に前記ほぞピンが挿入されて、互いに連通する前記ほぞピン貫通孔と前記柱貫通孔とにドリフトピンが挿入される接続構造であって、前記ほぞピンの上端面に前記ほぞピンと平行に雌ねじが形成され、前記ほぞピンと同径の断面円形状をした延長ピンの下端面に前記延長ピンと平行に雄ねじが突設され、前記延長ピンに直径方向に貫通する延長ピン貫通孔が形成され、前記ほぞピンの上端面と前記延長ピンの下端面に、前記ほぞピンと前記延長ピンの周方向の位置合わせを行う位置合わせ部が設けられるていることを特徴とする。
【００１０】
横架材の上面に断面円形状をしたほぞピンが突設され、前記ほぞピンに直径方向に貫通するほぞピン貫通孔が形成され、柱の下端面に前記ほぞピンが挿入されるほぞ孔が形成され、前記柱に前記ほぞピン貫通孔に対応する位置に前記柱の軸方向と直交する柱貫通孔が形成され、前記ほぞ孔に前記ほぞピンが挿入されて、互いに連通する前記ほぞピン貫通孔と前記柱貫通孔とにドリフトピンが挿入される接続構造に用いられる接続部材であって、前記接続部材は、前記ほぞピンと前記ほぞピンに任意に連結可能な延長ピンとを備え、前記ほぞピンの上端面に前記ほぞピンと平行に雌ねじが形成され、前記延長ピンの下端面に前記延長ピンと平行に前記雌ねじに螺合する雄ねじが突設され、前記延長ピンに直径方向に貫通する延長ピン貫通孔が形成され、前記ほぞピンの上端面と前記延長ピンの下端面に、前記ほぞピンと前記延長ピンの周方向の位置合わせを行う位置合わせ部が設けられることを特徴とする。
【発明の効果】
【００１１】
本発明にあっては、延長ピン貫通孔が、容易にほぞピン貫通孔と所定の角度をなさしめることができる。
【図面の簡単な説明】
【００１２】
【図１】本発明の一実施形態における接続部材を示し、（ａ）はほぞピンおよび固定部の斜視図であり、（ｂ）〜（ｄ）はそれぞれ異なる長さの延長ピンの斜視図である。
【図２】（ａ）（ｂ）は同上の実施形態において、ほぞピンにそれぞれ異なる長さの延長ピンが連結された接続部材の斜視図である。
【図３】（ａ）（ｂ）は同上の実施形態における位置合わせ部を説明するための斜視図である。
【図４】横架材と柱の接続を説明するための分解斜視図である。
【発明を実施するための形態】
【００１３】
以下、本発明を添付図面に示す実施形態に基いて説明する。
【００１４】
図４に示すように、横架材１と柱２とが接続される接続構造にあっては、横架材１の一側面（以下、上面として説明する）に、柱２の端面（以下、下端面として説明する）が接続部材５により接続される。
【００１５】
横架材１は、Ｈ型鋼等、特に限定されないが、本実施形態では木質材１２を有するＨ型鋼１１が用いられている。これは、Ｈ型鋼１１の両フランジ部に木質材１２が固定されたもので、Ｈ型鋼１１の強度および剛性を有しながら、木材のように釘等の打ち込みが可能となるものである。
【００１６】
図１に示すように、接続部材５は、ほぞピン３であり、横架材１の上面に垂直に突設される、断面円形状をしたものである。ほぞピン３は、通常は鋼材からなる円柱２であるが、中空部材であってもよく、また、他の金属であってもよい。また、ほぞピン３の断面形状は軸方向の一部において円形となっていなくてもよい。ほぞピン３には、直径方向に貫通するほぞピン貫通孔３１が形成されている。
【００１７】
本実施形態では、接続部材５は、図１、図２に示すように、横架材１の上面に固定される基台部５０を備え、この基台部５０からほぞピン３が突設されている。基台部５０は、一定の厚みの板状をした鋼材等の金属で形成されるもので、本実施形態では正面視略矩形状をしているが、特に正面視形状は限定されない。基台部５０は、一方の板面が横架材１の上面に当接するように固定される。基台部５０の横架材１への固定は、接着剤による接着、溶接、ボルトやボルト・ナット等の固着具による固着等、様々な手段によるもので、特に限定されない。基台部５０の他方の板面から垂直にほぞピン３が突設されている。また、ほぞピン３には延長ピン４が着脱自在に連結され、ほぞピン３および延長ピン４の全体がほぞピン３として機能するもので、この点については後述する。
【００１８】
本実施形態では、Ｈ型鋼１１のフランジ部に基台部５０が固定され、その上に木質材１２が固定される。木質材１２には、基台部５０およびほぞピン３に対応する部分に切欠等（不図示）が形成されており、干渉が回避されている。なお、Ｈ型鋼１１のフランジ部に直接ほぞピン３が溶接されてもよいものである。
【００１９】
柱２の下端面には、ほぞピン３が挿入されるほぞ孔２１が形成される。ほぞ孔２１は、ほぞピン３の直径と略同じかそれより若干大きい直径の断面円形状をしたもので、下端面に対して垂直に形成される。そして、柱２には、ほぞピン貫通孔３１に対応する位置に、軸方向と直交する方向に柱貫通孔２２が形成されている。
【００２０】
柱２は、そのほぞ孔２１にほぞピン３が挿入された状態で、柱２の下端面が横架材１の上面に載置される。この時、ほぞピン貫通孔３１と柱貫通孔２２とが連通する状態となり、両貫通孔３１、２２にドリフトピン６が挿入され、柱２とほぞピン３（横架材１）との接続がなされるものである。
【００２１】
ところで、このような横架材１と柱２の接続構造にあっては、横架材１や柱２に応じて、異なる長さのほぞピン３が用いられる。この時、ほぞピン３の長さが調節可能となるように、接続部材５には、ほぞピン３に加え、ほぞピン３に任意に連結可能な延長ピン４が設けられる。
【００２２】
延長ピン４は、ほぞピン３に連結されて、全体としてほぞピン３として機能させるもので、ほぞピン３と同様の材質で、同径の断面円形状をしている。
【００２３】
ほぞピン３の上端面には、ほぞピン３と平行に雌ねじ３２が形成される。そして、延長ピン４の下端面には、延長ピン４と平行に、雌ねじ３２に螺合する雄ねじ４２が突設される。ほぞピン３と延長ピン４の連結は、ほぞピン３の雌ねじ３２に延長ピン４の雄ねじ４２が螺合されることで行われる。そして、雌ねじ３２と雄ねじ４２とが螺合した状態で、ほぞピン３と延長ピン４の外周面は同一の円筒面上に位置する。
【００２４】
延長ピン４は、図１（ｂ）〜（ｄ）に示すように、異なる長さの複数種類のものが用意される。そして、横架材１や柱２に応じて、図２に示すように、適する長さの延長ピン４がほぞピン３に連結され、ほぞピンとして機能する、ほぞピン３と延長ピン４の全体の長さが適宜設定される。
【００２５】
延長ピン４にも、ほぞピン３と同様に、直径方向に貫通する延長ピン貫通孔４１が形成されている。延長ピン貫通孔４１は、ほぞピン３の軸方向に異なる位置に複数形成される。そして、一の延長ピン貫通孔４１に対し、他の一の延長ピン貫通孔４１は、軸方向視において直交するように形成される。いずれの延長ピン貫通孔４１も、前記一の延長ピン貫通孔４１か他の一の延長ピン貫通孔４１と平行に形成される。
【００２６】
各延長ピン貫通孔４１は、この延長ピン４がほぞピン３に連結された状態で、ほぞピン貫通孔３１と平行となるか又は直交する必要がある。そこで、ほぞピン３と延長ピン４の周方向の位置合わせのため、ほぞピン３の上端面と延長ピン４の下端面に、位置合わせ部３３、４３が設けられる。
【００２７】
本実施形態では、位置合わせ部３３、４３は、ほぞピン３の延長ピン４に対する周方向の位置が所定の位置となっている場合にのみ嵌合する凹凸からなる。図３（ａ）に示すものは、ほぞピン３の上端面に設けられる位置合わせ部３３が凹溝からなり、延長ピン４の下端面に設けられる位置合わせ部４３が凸条からなる。また、図３（ｂ）に示すように、延長ピン４の下端面に設けられる位置合わせ部４３が凹溝からなり、ほぞピン３の上端面に設けられる位置合わせ部３３が凸条からなるものでもよい。また、このような凸条と凹溝でなくてもよい。
【００２８】
雌ねじ３２に雄ねじ４２が螺合し、ほぞピン３と延長ピン４とが相対的に周方向に回転することで、雄ねじ４２が雌ねじ３２を螺進する。ほぞピン３の上端面と延長ピン４の下端面とが近接すると、凸条と一方の端面（図３（ａ）の場合にはほぞピン３の上端面）とが摺接し、摩擦に抗しながらほぞピン３と延長ピン４とが相対的に回転する。そして、凸条と凹溝が嵌合されると、ほぞピン３と延長ピン４の回転が規制され、周方向の位置合わせがなされる。位置合わせがなされた状態で、各延長ピン貫通孔４１は、この延長ピン４がほぞピン３に連結された状態で、ほぞピン貫通孔３１と平行となるか又は直交する。凸条の高さと凹溝の深さは、ねじのピッチよりも短くするのが好ましいが、特に限定されない。なお、本実施形態では、各延長ピン貫通孔４１は、ほぞピン貫通孔３１と平行となるか又は直交するが、任意の角度でもよい。
【００２９】
上記のような接続構造によれば、ほぞピン３に任意に連結可能な延長ピン４がねじにより連結される接続部材５において、ほぞピン３と延長ピン４の周方向の位置合わせが可能となる。これにより、延長ピン貫通孔４１とほぞピン貫通孔３１とが、軸方向視において、平行となるか又は直交するか、あるいは他の所定の角度をなさしめることが容易に可能となる。
【符号の説明】
【００３０】
１    横架材
１１  Ｈ型鋼
１２  木質材
２    柱
２１  ほぞ孔  
２２  柱貫通孔
３    ほぞピン
３１  ほぞピン貫通孔
３２  雌ねじ
３３  位置合わせ部
４    延長ピン
４１  延長ピン貫通孔
４２  雄ねじ
４３  位置合わせ部
５    接続部材
５０  基台部
６    ドリフトピン
【図１】
2013234547.tif 000003
【図２】
2013234547.tif 000004
【図３】
2013234547.tif 000005
【図４】
2013234547.tif 000006